(57)【要約】【課題】電動格納ユニットの大型化抑制及びシール性確保を可能にする車両用ミラー装置を提供する。【解決手段】車両用ミラー装置１０のミラーユニット２０はミラー２１及び電動機能部２３を含み、ベース３０は車両側部に固定される。ユニットケース５０は、ベース３０に固定された基端部４１を有するシャフト４０の先端部４２を覆うように設けられ、ミラーユニット２０を支持する。電動格納駆動部６０はユニットケース５０内に収容され、シャフト４０に対してユニットケース５０を相対回転させることでミラーユニット２０を格納位置と使用位置との間で移動させる。第１ワイヤーハーネス７０は、シャフト４０を軸方向に貫通してユニットケース５０内に導入され、電動格納駆動部６０に接続する。第２ワイヤーハーネス８０は、シャフト４０を軸方向に貫通することなしにユニットケース５０外を通ってミラーユニット２０内に導入され、電動機能部２３に接続する。【選択図】図２
2020128147.tif 000002
【特許請求の範囲】
【請求項１】
ミラーおよび電動機能部を含むミラーユニットと、
車両側部に固定されるベースと、
前記ベースに固定された基端部を有するシャフトと、
前記シャフトの先端部を覆うように設けられ、前記ミラーユニットを支持しているユニットケースと、
前記ユニットケース内に収容され、前記シャフトに対して前記ユニットケースを相対回転させることにより前記ミラーユニットを格納位置と使用位置との間で移動させる電動格納駆動部と、
前記シャフトを軸方向に貫通して前記ユニットケース内に導入され、前記電動格納駆動部に接続している第１ワイヤーハーネスと、
前記シャフトを軸方向に貫通することなしに前記ユニットケース外を通って前記ミラーユニット内に導入され、前記電動機能部に接続している第２ワイヤーハーネスと、
を備える車両用ミラー装置。
【請求項２】
前記シャフトの前記基端部は切欠きを有し、
前記第２ワイヤーハーネスは、前記ベース内から前記切欠きを通じて前記ミラーユニット内まで配線されている請求項１に記載の車両用ミラー装置。
【発明の詳細な説明】
【技術分野】
【０００１】
本発明は、車両用ミラー装置に関する。
【背景技術】
【０００２】
従来、車両用ミラー装置に用いられるワイヤーハーネスは、ベース内から電動格納ユニットのシャフト内部およびカバーの貫通孔を通じてミラーユニット内に導入されたのち、電動格納ユニットおよび鏡面角度調整ユニット等の各機能部へ配線されている。特許文献１では、電動格納ユニット用の配線は、ミラーユニット内でワイヤーハーネス本体から枝分かれし、カバーに設けたコネクタに接続されている。カバー内の水密性を確保するため、カバーのコネクタ接続部と貫通孔付近にはシール部材が設けられている。
【先行技術文献】
【特許文献】
【０００３】
【特許文献１】特開平１１−０２０５４９号公報
【発明の概要】
【発明が解決しようとする課題】
【０００４】
近年、車両用ミラー装置の多機能化および高性能化に伴い、ワイヤーハーネスの電線やケーブルが増加したり太くなったりする傾向にある。これに対応するためにワイヤーハーネスを通すシャフトとカバーの貫通孔を拡大すると、電動格納ユニットが大型化するという問題がある。
また、ワイヤーハーネスの太さの異なる複数の装置間で共通の電動格納ユニットを用いる場合、カバーの貫通孔のシール構造が複雑になるという問題がある。
【０００５】
本発明は、このような点に鑑みて創作されたものであり、その目的は、電動格納ユニットの大型化の抑制およびシール性の確保を可能にする車両用ミラー装置を提供することにある。
【課題を解決するための手段】
【０００６】
本発明は、車両用ミラー装置であって、ミラーユニット、ベース、シャフト、ユニットケース、電動格納駆動部、第１ワイヤーハーネス、および第２ワイヤーハーネスを備える。ミラーユニットはミラーおよび電動機能部を含み、ベースは車両側部に固定される。シャフトは、ベースに固定された基端部を有する。ユニットケースはシャフトの先端部を覆うように設けられ、ミラーユニットを支持している。電動格納駆動部は、ユニットケース内に収容され、シャフトに対してユニットケースを相対回転させることによりミラーユニットを格納位置と使用位置との間で移動させる。第１ワイヤーハーネスは、シャフトを軸方向に貫通して、ユニットケース内に導入され、電動格納駆動部に接続している。第２ワイヤーハーネスは、シャフトを軸方向に貫通することなしにユニットケース外を通ってミラーユニット内に導入され、電動機能部に接続している。
【０００７】
本発明によれば、シャフトを軸方向に貫通するのが電動格納駆動部に接続している第１ワイヤーハーネスのみになるので、シャフト径は第２ワイヤーハーネスの電線やケーブルが増加したり太くなったりする影響を受けない。つまり、車両用ミラー装置の多機能化および高性能化に伴い、シャフト径を拡大する必要性がないことから、電動格納ユニットの大型化を抑制することが可能である。
【０００８】
また、第１ワイヤーハーネスはユニットケース内に導入され、電動格納駆動部に接続し、第２ワイヤーハーネスはシャフトを軸方向に貫通することなしにユニットケース外を通ってミラーユニット内に導入され、電動機能部に接続しているので、ユニットケースに第２ワイヤーハーネスを通す貫通孔が必要なく、水密性は向上する。また、従来、車両用ミラー装置に用いられるワイヤーハーネスは、ベース内から電動格納ユニットのシャフト内部およびカバーの貫通孔を通じてミラーユニット内に導入されていたので、ワイヤーハーネスの太さの異なる複数の装置間で共通の電動格納ユニットを用いる場合、カバーの貫通孔のシール構造が複雑になるという問題があったが、本発明では、第２ワイヤーハーネスの太さにかかわらず電動格納ユニットシール性の確保を可能にする。
【０００９】
したがって、第２ワイヤーハーネスの太さにかかわらず電動格納ユニットの大型化の抑制およびシール性の確保を可能にする車両用ミラー装置が提供される。
【図面の簡単な説明】
【００１０】
【図１】一実施形態に係る車両用ミラー装置の外観を示す正面図。
【図２】図１に対応する模式図。
【図３】図２のシャフトの斜視図。
【発明を実施するための形態】
【００１１】
以下、本発明の一実施形態を図面に基づいて説明する。
【００１２】
（一実施形態）
一実施形態に係る車両用ミラー装置の平面図を図１に示す。図１に対応する模式図を図２に示す。図１、図２に示すように、本実施形態による車両用ミラー装置１０は、車体ドアパネル１に装着される。車両用ミラー装置１０は、電動式である。
【００１３】
車両用ミラー装置１０は、ミラーユニット２０、ベース３０、シャフト４０、ユニットケース５０、電動格納駆動部６０、第１ワイヤーハーネス７０、および第２ワイヤーハーネス８０を備える。
【００１４】
ミラーユニット２０は、ミラーハウジング２２、ミラーハウジング２２の内部に装着されたミラー２１を備える。ミラーハウジング２２は、使用状態において車両後方に向かって開口するカップ状に形成されている。ミラーハウジング２２内には、電動機能部２３、ミラー２１などが設けられている。
【００１５】
ベース３０は、車両側部の車体ドアパネル１に固定される。
【００１６】
シャフト４０は、ベース３０に固定された基端部４１を有する。ユニットケース５０は、シャフト４０の先端部４２を覆うように設けられていて、ミラーユニット２０を支持している。電動格納駆動部６０は、ユニットケース５０内に収容されたモータ、減速機、および制御部を含み、シャフト４０に対してユニットケース５０を相対回転させることによりミラーユニット２０を格納位置と使用位置との間で移動させる。シャフト４０、ユニットケース５０および電動格納駆動部６０は、電動格納ユニットを構成している。
【００１７】
ベース３０内を通る第１ワイヤーハーネス７０と第２ワイヤーハーネス８０のうち、第１ワイヤーハーネス７０は、シャフト４０を軸方向に貫通してユニットケース５０内に導入され、電動格納駆動部６０に接続している。シャフト４０は、筒状に形成されており、貫通孔４４を有している。一方、第２ワイヤーハーネス８０は、シャフト４０を軸方向に貫通することなしにユニットケース５０外を通ってミラーユニット２０内に導入され、電動機能部２３に接続している。
【００１８】
電動機能部２３とは、例えば、図示しないミラー２１の鏡面角度を変更可能な鏡面角度調整機構、アンテナ２３１、ブラインドスポット２３２、ターンランプ２３３、カメラ２３４などを指す。
【００１９】
シャフト４０の斜視図を図３に示す。シャフト４０は基端部４１に切欠き４３を有している。第２ワイヤーハーネス８０は、切欠き４３を通ることでユニットケース５０外を通って、ミラーユニット２０に導入される。
【００２０】
切欠き４３を通ってミラーユニット２０内の電動機能部２３に配線される第２ワイヤーハーネス８０は、ミラーユニット２０が格納位置から使用位置まで回動する間、負荷がかかったり、他の部位に引っかからないように、切欠き４３から電動機能部２３まで長さにゆとりを持つ。
【００２１】
（効果）
以上説明したように、本実施形態では、第１ワイヤーハーネス７０は、シャフト４０を軸方向に貫通して、ユニットケース５０内に導入され、電動格納駆動部６０に接続している。第２ワイヤーハーネス８０は、シャフト４０を軸方向に貫通することなしにシャフト４０の基端部４１が有する切欠き４３、およびユニットケース５０外を通ってミラーユニット２０内に導入され、電動機能部２３に接続している。
【００２２】
これにより、シャフト４０を軸方向に貫通するのが電動格納駆動部６０に接続している第１ワイヤーハーネス７０のみになるので、シャフト貫通孔４４の内径φは第２ワイヤーハーネス８０の電線やケーブルが増加したり太くなったりする影響を受けない。つまり、車両用ミラー装置１０の多機能化および高性能化に伴い、内径φを拡大する必要性がないことから、電動格納ユニットの大型化を抑制することが可能である。
【００２３】
さらに、本実施形態では、ユニットケース５０に第２ワイヤーハーネス８０を通す貫通孔が必要ないため水密性が向上する。また、従来、車両用ミラー装置に用いられるワイヤーハーネスは、ベース内から電動格納ユニットのシャフト内部およびカバーの貫通孔を通じてミラーユニット内に導入されていたので、ワイヤーハーネスの太さの異なる複数の装置間で共通の電動格納ユニットを用いる場合、カバーの貫通孔のシール構造が複雑になるという問題があったが、本実施形態では、第２ワイヤーハーネス８０の太さにかかわらず電動格納ユニットシール性の確保を可能にする。
【００２４】
さらに、本実施形態では、ミラーユニット２０内の電動機能部２３に配線される第２ワイヤーハーネス８０は、切欠き４３から電動機能部２３までの長さにゆとりを持つ。
これにより、ミラーユニット２０が格納位置と使用位置との間で移動するとき、配線した第２ワイヤーハーネス８０に負荷がかかることを抑制できる。
【００２５】
（他の実施形態）
他の実施形態では、第２ワイヤーハーネスが通るのは、シャフトの切欠きでなくてもよい。例えば、シャフトに形成された孔でもよい。また、シャフトには切欠きや孔が形成されず、第２ワイヤーハーネスはシャフトを通ることなくベースからミラーユニット内に導かれてもよい。
【００２６】
本発明は、上述した実施形態に限定されるものではなく、発明の趣旨を逸脱しない範囲で種々の形態で実施可能である。
【符号の説明】
【００２７】
１・・・ドアパネル、
１０・・・車両用ミラー装置、
２０・・・ミラーユニット、
２１・・・ミラー、
２２・・・ミラーハウジング、
２３・・・電動機能部、
３０・・・ベース、
４０・・・シャフト、
５０・・・ユニットケース、
６０・・・電動格納駆動部、
７０・・・第１ワイヤーハーネス、
８０・・・第２ワイヤーハーネス。
【図１】
2020128147.tif 000003
【図２】
2020128147.tif 000004
【図３】
2020128147.tif 000005